(57)【特許請求の範囲】
【請求項１】
端子金具の外面に突設した係止突起部と、コネクタハウジングの端子収容室内に片持ち片状に設け、前記係止突起部に当接することによって前記端子金具が前記端子収容室から離脱する方向に移動することを阻止する係止面を自由端となる先端に形成した弾性係止アーム部と、によって前記端子金具を前記端子収容室内に係止する端子金具とコネクタハウジングとの係止構造において、
前記弾性係止アーム部は、
前記係止面に繋がるように先端側から基端部側に向けて上り傾斜状に形成し、かつ、前記端子金具が前記端子収容室内に挿入されて係止完了位置に移動する際に、傾斜の頂点を前記係止突起部が乗り越えたところで当該弾性係止アーム部の弾性復元力によって前記係止突起部に摺接しながら前記端子金具を係止完了位置に移動させる端子挿入ガイド傾斜面  を有し、
前記係止突起部が、
前記弾性係止アーム部を弾性復元した状態で侵入可能に前記端子金具に形成した係止開口部の開口端縁面の一部を該係止開口部内に係止された前記弾性係止アーム部の前記傾斜の頂点から離れる方向に突出させており
前記端子挿入ガイド傾斜面は、
前記係止突起部が前記係止面に当接することによって、前記弾性係止アーム部に発生するせん断面に距離を隔てた位置に形成する
ことを特徴とする端子金具とコネクタハウジングとの係止構造。
【請求項２】
前記端子挿入ガイド傾斜面は、
前記弾性係止アーム部の弾性復元力を利用した前記端子金具の係止完了位置までの移動する距離をできるだけ長くするように傾斜角度を調整する
ことを特徴とする請求項１に記載の端子金具とコネクタハウジングとの係止構造。
【発明の詳細な説明】
【技術分野】
【０００１】
本発明は、端子金具を端子収容室内に係止する端子金具とコネクタハウジングとの係止構造に関する。
【背景技術】
【０００２】
従来、コネクタハウジングの端子収容室内に端子金具を係止する端子金具とコネクタハウジングとの係止構造は、端子金具の外面に突設した係止突起部と、コネクタハウジングの端子収容室内に片持ち片状に設け、係止突起部に当接することによって端子金具が端子収容室から離脱する方向に移動することを阻止する係止面を自由端となる先端に形成した弾性係止アーム部と、によって端子金具を端子収容室内に係止するものがある（例えば、特許文献１参照）。
【０００３】
特許文献１に記載のコネクタは、ビークの形状をせん断面積が最大となるように頂点の高さを自由端から基端に向かって徐々に高くすることによって、ランス（弾性係止アーム部）のサイズを小さく抑えつつ端子保持力を得ることができるようにしている。
【先行技術文献】
【特許文献】
【０００４】
【特許文献１】特開２０１２−４９０８１号公報
【発明の概要】
【発明が解決しようとする課題】
【０００５】
しかしながら、特許文献１に記載のコネクタの端子金具とコネクタハウジングとの係止構造は、係止突起部が係止面より端子収容室の内方に位置するまで端子金具を挿入する必要があり、途中挿入状態になり易いため、再度、端子金具を係止位置まで押し込まなければならないことが多く、結果的に、組み付け作業が煩雑になってしまうという問題があった。
【０００６】
本発明は、上記に鑑みてなされたものであって、端子金具のコネクタハウジングへの組み付け作業を容易にすることができる端子金具とコネクタハウジングとの係止構造を提供することを目的とする。
【課題を解決するための手段】
【０００７】
上述した課題を解決し、目的を達成するために、本発明の請求項１に係る端子金具とコネクタハウジングとの係止構造は、端子金具の外面に突設した係止突起部と、コネクタハウジングの端子収容室内に片持ち片状に設け、前記係止突起部に当接することによって前記端子金具が前記端子収容室から離脱する方向に移動することを阻止する係止面を自由端となる先端に形成した弾性係止アーム部と、によって前記端子金具を前記端子収容室内に係止する端子金具とコネクタハウジングとの係止構造において、前記弾性係止アーム部は、前記係止面に繋がるように先端側から基端部側に向けて上り傾斜状に形成し、かつ、前記端子金具が前記端子収容室内に挿入されて係止完了位置に移動する際に、傾斜の頂点を前記係止突起部が乗り越えたところで当該弾性係止アーム部の弾性復元力によって前記係止突起部に摺接しながら前記端子金具を係止完了位置に移動させる端子挿入ガイド傾斜面を有し、前記係止突起部が、前記弾性係止アーム部を弾性復元した状態で侵入可能に前記端子金具に形成した係止開口部の開口端縁面の一部を該係止開口部内に係止された前記弾性係止アーム部の前記傾斜の頂点から離れる方向に突出させており前記端子挿入ガイド傾斜面は、前記係止突起部が前記係止面に当接することによって、前記弾性係止アーム部に発生するせん断面に距離を隔てた位置に形成することを特徴とする。
【０００９】
また、本発明の請求項２に係る端子金具とコネクタハウジングとの係止構造は、上記の発明において、前記端子挿入ガイド傾斜面は、前記弾性係止アーム部の弾性復元力を利用した前記端子金具の係止完了位置までの移動する距離をできるだけ長くするように傾斜角度を調整することを特徴とする。
【発明の効果】
【００１０】
本発明の請求項１に係る端子金具とコネクタハウジングとの係止構造は、前記端子金具の前記係止突起部が前記端子収容室内の前記係止面よりも内方に挿入される前の前記端子挿入ガイド傾斜面の前記頂点を乗り越えた位置から、前記端子金具が前記弾性係止アーム部の弾性復元力によって自動で係止完了位置まで移動されるので、前記端子挿入口から係止完了位置までの間の前記端子金具の中途挿入状態の距離を縮小することができ、前記端子金具が前記端子収容室に中途挿入状態になり難くなり、結果的に、前記端子金具の前記コネクタハウジングへの組み付け作業を容易にすることができる。
【００１１】
本発明の請求項１に係る端子金具とコネクタハウジングとの係止構造は、前記端子挿入ガイド傾斜面がせん断面Ｓを分断しない位置に配置されるので、前記せん断面Ｓが前記端子挿入ガイド傾斜面によってその面積を縮小されることがなく、結果的に、前記端子挿入ガイド傾斜面を前記弾性係止アーム部のせん断破壊に影響を与えないように形成することができる。
【００１２】
本発明の請求項２に係る端子金具とコネクタハウジングとの係止構造は、前記端子金具の中途挿入状態の距離をできるだけ大きく縮小することができるので、前記端子金具の前記コネクタハウジングへの組み付け作業をより容易にすることができる。
【図面の簡単な説明】
【００１３】
【図１】図１は、本発明の実施例に係る端子金具とコネクタハウジングとの係止構造の分解斜視図である。
【図２】図２は、（ａ）が電線の端末部に圧着した端子金具の斜視図であり、（ｂ）が端子金具を下方から視た斜視図であり、（ｃ）が端子金具の前面図であり、（ｄ）が（ｃ）の端子金具のＡ−Ａ線断面図である。
【図３】図３は、コネクタハウジングの前面図である。
【図４】図４は、図３に示したコネクタハウジングのＢ−Ｂ線断面図である。
【図５】図５は、弾性係止アーム部の先端周辺を拡大した斜視図である。
【図６】図６は、（ａ）が端子金具をセットした状態のコネクタハウジングの前面図であり、（ｂ）が（ａ）に示したコネクタハウジングのであるＣ―Ｃ線断面図である。
【図７】図７は、図６（ｂ）に示したコネクタハウジングの一つの端子収容室を拡大した図であり、（ｂ）が（ａ）の弾性係止アーム部の周辺を拡大した図である。
【図８】図８は、（ａ）が端子金具を離脱方向に引っ張ることによって係止突起部が係止面に当接した状態を示した断面図であり、（ｂ）が（ａ）の弾性係止アーム部の先端周辺を拡大した図である。
【図９】図９は、係止突起部が係止面に当接することによって弾性係止アーム部に発生するせん断面をハッチングで示すとともにせん断面より上部を破線で示した図である。
【図１０】図１０は、（ａ）が一つの端子収容室に端子金具を挿入した状態をコネクタハウジングの前面から視た図であり、（ｂ）が（ａ）に示した端子金具を挿入したコネクタハウジングのＣ−Ｃ線断面図である。
【図１１】図１１は、図１０（ｂ）に示したコネクタハウジングの端子金具を挿入した側の端子収容室を拡大した図であり、（ｂ）が（ａ）の弾性係止アーム部の先端周辺を拡大した図である。
【発明を実施するための形態】
【００１４】
以下、図面を参照して、本発明に係る端子金具とコネクタハウジングとの係止構造の好適な実施例を詳細に説明する。
【実施例】
【００１５】
図１は、本発明の実施例に係る端子金具とコネクタハウジングとの係止構造１の分解斜視図である。図２は、（ａ）が電線Ｗの端末部に圧着した端子金具１０の斜視図であり、（ｂ）が端子金具１０を下方から視た斜視図であり、（ｃ）が端子金具１０の前面図であり、（ｄ）が（ｃ）の端子金具１０のＡ−Ａ線断面図である。図３は、コネクタハウジング２０の前面図である。図４は、図３に示したコネクタハウジング２０のＢ−Ｂ線断面図である。図５は、弾性係止アーム部５０の先端５０ａ周辺を拡大した斜視図である。図６は、（ａ）が端子金具１０をセットした状態のコネクタハウジング２０の前面図であり、（ｂ）が（ａ）に示したコネクタハウジング２０のであるＣ―Ｃ線断面図である。図７は、図６（ｂ）に示したコネクタハウジング２０の一つの端子収容室を拡大した図であり、（ｂ）が（ａ）の弾性係止アーム部５０の周辺を拡大した図である。図８は、（ａ）が端子金具１０を離脱方向に引っ張ることによって係止突起部１５が係止面５３に当接した状態を示した断面図であり、（ｂ）が（ａ）の弾性係止アーム部５０の先端５０ａ周辺を拡大した図である。図９は、係止突起部１５が係止面５３に当接することによって弾性係止アーム部５０に発生するせん断面Ｓをハッチングで示すとともにせん断面Ｓより上部を破線で示した図である。図１０は、（ａ）が一つの端子収容室３０に端子金具１０を挿入した状態をコネクタハウジング２０の前面から視た図であり、（ｂ）が（ａ）に示した端子金具１０を挿入したコネクタハウジング２０のＣ−Ｃ線断面図である。図１１は、図１０（ｂ）に示したコネクタハウジング２０の端子金具１０を挿入した側の端子収容室３０を拡大した図であり、（ｂ）が（ａ）の弾性係止アーム部５０の先端５０ａ周辺を拡大した図である。
なお、図６、図７、図８、図１０、図１１では、端子金具１０は電線Ｗに取り付けていない状態のものを示している。
また、本発明の実施例では説明の便宜上、図中に示すように前後、および上下方向を定義する。
【００１６】
本発明の実施例に係る端子金具とコネクタハウジングとの係止構造１は、端子金具１０の外面に突設した係止突起部１５と、コネクタハウジング２０の端子収容室３０内に片持ち片状に設け、係止突起部１５に当接することによって端子金具１０が端子収容室３０から離脱する方向に移動することを阻止する係止面５３を自由端となる先端に形成した弾性係止アーム部５０と、によって端子金具１０を端子収容室３０内に係止するものである。
【００１７】
まず、端子金具１０について説明する。
端子金具１０は、銅、あるいは銅合金等の金属からなる板状部材を金型プレス加工等によって成形したものである。この端子金具１０は、図２に示すように、電線Ｗの端末部に圧着する圧着部１１と、電線Ｗの不図示の接続相手に接続する相手接続部１２と、圧着部１１と、相手接続部１２との間を繋ぐ繋ぎ部１６と、を有する。
【００１８】
相手接続部１２は、角筒状をなす接続本体部１３の筒内に設けられた弾性接触片１３ｄに接続相手が接触されるようになっている。この相手接続部１２は、接続相手としての雄端子が接続する雌端子を構成している。
【００１９】
接続本体部１３は、底壁１３ａと、底壁１３ａの両縁に立設する一対の側壁１３ｂ、１３ｂと、天井壁１３ｃと、によって角筒形状を構成する。
底壁１３ａは、係止開口部１４と、係止突起部１５と、を有する。
【００２０】
係止開口部１４は、弾性復元した弾性係止アーム部５０が接続本体部１３内に係止のため侵入可能に形成した開口である。
【００２１】
係止突起部１５は、係止開口部１４の前側の開口内縁面１４ａの一部を下方に向けて突出するように形成した部分である。
この係止突起部１５は、横断面を円弧状に形成することによって、弾性係止アーム部５０に摺接しながら係止位置まで移動する際に摩擦抵抗を抑えてなめらかに移動できるようになっている。
【００２２】
なお、相手接続部１２は、雌端子を構成するものを例示したが、これに限らず、接続相手に接続できる構成になっていれば、その他の端子構成であっても構わない。
【００２３】
圧着部１１は、電線Ｗの露出した導体部Ｗ１に圧着する導体圧着部１１ａと、電線Ｗの絶縁被覆部Ｗ２に圧着する被覆圧着部１１ｂと、を有する。これら導体圧着部１１ａと被覆圧着部１１ｂとの間は中間部１１ｃが連結している。
【００２４】
次に、コネクタハウジング２０について説明する。
コネクタハウジング２０は、合成樹脂等の絶縁材からなり、全体として直方体ブロック状をなしてコネクタハウジング２０の本体部分を構成するハウジング本体２１を有する。
このハウジング本体２１には、ハウジング本体２１を前後方向に貫通するように、横方向に６列、縦方向に２列の合計１２個の端子収容室３０を設けている。
なお、端子収容室３０の数は１２個に限定せず、１以上であればその他の数であっても構わない。
各端子収容室３０は、後端面に端子金具１０を挿入するための端子挿入口３０ａを設け、前端面に接続相手となる端子の端子金具１０との接続部分を挿入するための相手端子挿入口３０ｂを設けている。
【００２５】
また、コネクタハウジング２０は、係止状態を解除するために不図示の係止解除用の治具を挿入するための治具挿入空間４０を形成している。
この治具挿入空間４０は、端子収容室３０の下側から端子収容室３０に繋がる空間であり、コネクタハウジング２０の前端に形成した治具挿入口４０ａからたわみ空間４１まで連続した空間をなしている。
【００２６】
たわみ空間４１は、端子金具１０が端子収容室３０の端子挿入口３０ａから挿入されて端子収容室３０の係止位置まで移動する際、端子金具１０が摺接することによって、弾性係止アーム部５０が中立状態から係止解除方向にたわみ変形した場合に、弾性係止アーム部５０を受け入れるための空間である。
【００２７】
また、各端子収容室３０の収容空間を形成する壁の底面には弾性係止アーム部５０を設けている。
【００２８】
弾性係止アーム部５０は、基端部５０ｂから自由端となる先端５０ａに向けてなだらかに上方傾斜するように端子収容室３０内に設けている。
この弾性係止アーム部５０は、先端延在部５１、および端子挿入ガイド傾斜面５２を有する。
【００２９】
先端延在部５１は、弾性係止アーム部５０の先端の一部を延在し、不図示の係止解除用の治具を引っ掛けることによって弾性係止アーム部５０を係止解除方向にたわませる部分である。
【００３０】
端子挿入ガイド傾斜面５２は、係止面５３に繋がるように先端５０ａ側から基端部５０ｂ側に向けて上り傾斜状に形成し、かつ、端子金具１０が端子収容室３０内に挿入されて係止完了位置に移動する際に、傾斜の頂点５２ａを係止突起部１５が乗り越えたところで弾性係止アーム部５０の弾性復元力によって係止突起部１５に摺接しながら端子金具１０を係止完了位置に移動させる面である。
【００３１】
すなわち、端子挿入ガイド傾斜面５２は、端子金具１０の係止突起部１５が傾斜の頂点５２ａを乗り越えた後、端子金具１０が係止完了位置に到達する前の中途挿入状態で停止してしまうことがないように傾斜角度を調整している。
【００３２】
なお、端子挿入ガイド傾斜面５２は、端子金具１０を弾性係止アーム部５０の弾性復元力によって移動する距離をできるだけ長くすることができるように傾斜角度を調整することが好ましい。
【００３３】
また、端子挿入ガイド傾斜面５２は、図８および図９に示すように、係止突起部１５が係止面５３に当接することによって弾性係止アーム部５０に発生するせん断面Ｓに距離を隔てた位置に形成する。このため、端子挿入ガイド傾斜面５２は、せん断面Ｓを分断しない位置に配置される。これにより、せん断面Ｓが端子挿入ガイド傾斜面５２によってその面積を縮小されることがない。すなわち、端子挿入ガイド傾斜面５２が弾性係止アーム部５０のせん断破壊に影響を与えないようになっている。
【００３４】
また、端子挿入ガイド傾斜面５２を形成することによって、図７（ｂ）に示すように、係止解除用の治具を先端側から引っ掛け係止解除する方向に弾性係止アーム部５０をたわませる際、弾性係止アーム部５０のオーバーストロークを小さく抑えることができる。
このため、係止突起部１５と係止面５３との間隔Ｄ１を小さくして端子金具１０のガタツキを小さく抑えつつ、係止解除時の係止突起部１５と弾性係止アーム部５０の先端との間隔Ｄ２をより大きく確保することができるので、係止解除操作を容易に行うことができるようになっている。
【００３５】
次に、端子金具１０を端子挿入口３０ａに挿入してから係止位置に配置するまでの端子金具１０およびコネクタハウジング２０の各部の動作について説明する。
まず、端子金具１０は、作業者による押圧力によって端子挿入口３０ａから端子収容室３０内方に向けて移動すると、先端が弾性係止アーム部５０の基端部５０ｂに摺接開始する。
これにより、弾性係止アーム部５０がたわみ空間４１側に弾性的にたわみ変形する。
端子金具１０は、弾性係止アーム部５０をたわみ空間４１側に弾性的にたわみ変形しつつ、端子収容室３０のさらに内方に向けて移動すると、係止突起部１５が端子挿入ガイド傾斜面５２の頂点５２ａに達する。
【００３６】
係止突起部１５が端子挿入ガイド傾斜面５２の頂点５２ａを乗り越えると、弾性係止アーム部５０の弾性復元力によって端子金具１０が係止完了位置に自動で移動開始する（図１０および図１１参照）。この状態になると、作業者が端子金具１０に押圧力を付与しなくても端子金具１０が端子収容室３０の内方（図１１中矢印Ａ）に向けて移動する。
このようにして端子金具１０が自動で端子収容室３０のさらに内方に移動すると、係止突起部１５が弾性係止アーム部５０の係止面５３より端子収容室３０の内方側に移動する。
すると、弾性係止アーム部５０が端子金具１０の係止開口部１４に侵入し、端子金具１０が端子収容室３０内に係止される（図６および図７参照）。
【００３７】
本発明の実施例に係る端子金具とコネクタハウジングとの係止構造１は、端子金具１０の係止突起部１５が端子収容室３０内の係止面５３よりも内方に挿入される前の端子挿入ガイド傾斜面５２の頂点５２ａを乗り越えた位置から、端子金具１０が弾性係止アーム部５０の弾性復元力によって自動で係止完了位置まで移動されるので、端子挿入口３０ａから係止完了位置までの間の端子金具１０の中途挿入状態の距離を縮小することができ、端子金具１０が端子収容室３０に中途挿入状態になり難くなり、結果的に、端子金具１０のコネクタハウジング２０への組み付け作業を容易にすることができる。
【００３８】
また、本発明の実施例に係る端子金具とコネクタハウジングとの係止構造１は、端子挿入ガイド傾斜面５２がせん断面Ｓを分断しない位置に配置されるので、せん断面Ｓが端子挿入ガイド傾斜面５２によってその面積を縮小されることがなく、結果的に、端子挿入ガイド傾斜面５２を弾性係止アーム部５０のせん断破壊に影響を与えないように形成することができる。
【００３９】
また、本発明の実施例に係る端子金具とコネクタハウジングとの係止構造１は、端子金具１０の中途挿入状態の距離をできるだけ大きく縮小することができるので、端子金具１０のコネクタハウジング２０への組み付け作業をより容易にすることができる。
【００４０】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４１】
１      端子金具とコネクタハウジングとの係止構造
１０    端子金具
１１    圧着部
１１ａ  導体圧着部
１１ｂ  被覆圧着部
１１ｃ  中間部
１２    相手接続部
１３    接続本体部
１３ａ  底壁部
１３ｂ  側壁
１３ｃ  天井壁
１３ｄ  弾性接触片
１４    係止開口部
１４ａ  開口内縁面
１５    係止突起部
１６    繋ぎ部
２０    コネクタハウジング
２１    ハウジング本体
３０    端子収容室
３０ａ  端子挿入口
３０ｂ  相手端子挿入口
４０    治具挿入空間
４０ａ  治具挿入口
４１    たわみ空間
５０    弾性係止アーム部
５０ａ  先端
５０ｂ  基端部
５１    先端延在部
５２    端子挿入ガイド傾斜面
５２ａ  頂点
５３    係止面
Ｓ      せん断面
Ｗ      電線
Ｗ１    導体部
Ｗ２    絶縁被覆部
【図１】
0006491427.tif 000002
【図２】
0006491427.tif 000003
【図３】
0006491427.tif 000004
【図４】
0006491427.tif 000005
【図５】
0006491427.tif 000006
【図６】
0006491427.tif 000007
【図７】
0006491427.tif 000008
【図８】
0006491427.tif 000009
【図９】
0006491427.tif 000010
【図１０】
0006491427.tif 000011
【図１１】
0006491427.tif 000012